(57)【特許請求の範囲】
【請求項１】
ユーザに化粧品を塗布するための塗布器具において、
それぞれが異なる色の化粧品を含むように構成された第１の貯蔵部および第２の貯蔵部を有する本体と、
前記本体と連結され、前記第１の貯蔵部および前記第２の貯蔵部からの化粧品の噴出を独立して制御するように構成された送達システムと、
底部に複数のノズルを有し前記本体と連結された噴出ヘッドであって、第１サブセットにおけるノズルが前記第１の貯蔵部と流体的に連通し、第２のサブセットにおけるノズルが、前記第１の貯蔵部から独立して、前記第２の貯蔵部と流体的に連通している噴出ヘッドと、
を備えたことを特徴とする塗布器具。
【請求項２】
前記第１のサブセットのノズルおよび前記第２のサブセットのノズルからの化粧品の噴出を独立して制御し、所望の色を生成するように構成されたユーザが選択可能な色合い制御部をさらに備えたことを特徴とする請求項１に記載の塗布器具。
【請求項３】
前記本体は、ブラシ延長部を有する塗布器具先端を備えることを特徴とする請求項１に記載の塗布器具。
【請求項４】
前記本体は、前記噴出ヘッドが塗布表面から離れて維持されるように、前記噴出ヘッドを越えて延びるように構成された外部先端を有することを特徴とする請求項１に記載の塗布器具。
【請求項５】
前記本体は、前記塗布器具が塗布表面から距離を置いて保持されるとき、前記塗布器具を介して塗布される化粧品の高さを示す光を投射するように構成されたガイドライトを有する塗布器具先端を備えることを特徴とする請求項１に記載の塗布器具。
【請求項６】
塗布表面に化粧品を塗布するように構成された手持ち塗布器具において、
第１の貯蔵部および第２の貯蔵部を有する、ユーザによって把持されるように構成された本体と、
前記第１の貯蔵部と液通する第１のセットのノズルおよび、前記第１の貯蔵部から独立して前記第２の貯蔵部と液通する第２のセットのノズルを底部に有する噴出ヘッドと、
前記第１のセットのノズルおよび前記第２のセットのノズルから独立して噴射させるように構成された噴射トランジスタを有する送達システムと、
ユーザに前記噴射トランジスタの噴射頻度および順序を調整させ、前記第１のセットのノズルおよび前記第２のセットのノズルからの化粧品の排出を調整するように構成されたユーザが選択可能な複数の制御部と、
を備えたことを特徴とする手持ち塗布器具。
【請求項７】
化粧品を塗布する方法において、第１の化粧品を含むように構成された第１のインク貯蔵部、第２の化粧品を含むように構成された第２のインク貯蔵部、前記第１の化粧品と液通する複数の第１のノズル及び、前記第１の化粧品から独立して前記第２の化粧品と液通する複数の第２のノズルを底部に有する噴出ヘッド、および前記噴出ヘッドと動作可能に連結され、前記複数のノズルからの化粧品の排出を制御する制御回路を有する化粧品塗布器具を提供すること、前記制御回路と動作可能に連結された、ユーザが選択可能な第１の制御部を介して前記複数のノズルのサブセットを選択すること、前記ノズルのサブセットから噴射させる頻度を選択すること、前記ノズルのサブセットから噴射させる順序を選択すること、化粧品がユーザの身体に噴出されるように前記選択された頻度および順序で前記ノズルのサブセットを独立して制御し、噴射させることを備えることを特徴とする方法。
【発明の詳細な説明】
【０００１】
【発明の属する技術分野】
本発明は、包括的に、化粧品に関し、特に、プリンタ技術を用いた化粧品塗布器具に関する。
【０００２】
【従来の技術】
化粧品およびボディーペイントは何百年にもわたって用いられてきた。通常、このような化粧品は、美貌を向上させまたは自然の状態を変化させるために、顔および身体に塗布される。化粧品は、一般に、ブラシまたはパッドなどの様々な形状をした塗布器具を用いて塗布される。これらの塗布器具は、１つの塗布形態にしか適さない場合が頻繁にある。従って、顔に異なるタイプおよび色のメーキャップを施すためには複数の塗布器具が必要であり得る。これらの複数の塗布器具は、単一の塗布器具を用いて色を均一に混合することが困難である場合が多く、幅広ブラシの塗布器具を用いて繊細な線を描くことが困難であり得るため、必要である。
【０００３】
【発明が解決しようとする課題】
今日の塗布器具の有効寿命は、比較的短い。さらに、塗布器具は、一般に、化粧品と分離可能であるため、塗布器具またはメーキャップを失い、それを代わりに補わなければならないことは珍しいことではない。さらに、塗布器具の品質は、通常、使用するにつれて衰える。例えば、ブラシが古いメーキャップで固まったり、パッドがメーキャップをたっぷり含んだ状態になり、塗布されるメーキャップの正確な量を制御することが困難になる。また、塗布器具が混合色に用いられると、その後、その塗布器具を単一の色に用いることは困難になり得る。
【０００４】
今日のメーキャップ塗布器具に関する他の問題点は、汚染の可能性である。メーキャップ塗布器具は、通常、ユーザの皮膚に接触するため、細菌、残骸および他の汚染物は、皮膚から塗布器具に搬送され得る。汚染された塗布器具は、再び使用され、メーキャップ源および／または第２のユーザを汚染し得る。さらに、塗布器具の汚染によって、複数の化粧品の望ましくない混合が引き起こされ得る。
【０００５】
【課題を解決するための手段】
本発明は、化粧品を塗布するために用いられる塗布器具に関する。塗布器具は、化粧品を収容するように構成された貯蔵部を有する本体、および貯蔵部内に含まれる化粧品と液通する複数のノズルを有する噴出ヘッドを有する。塗布器具は、さらに、噴出ヘッドと動作可能に連結され、複数のノズルから塗布表面への化粧品の噴出を制御する制御回路を有する。
【０００６】
【発明の実施の形態】
本発明は、化粧品を塗布表面に塗布するためのデバイスおよび方法を提供する。デバイスは、インクジェット技術を用いて化粧インクを塗布表面に噴出することが可能な塗布器具を有する。本明細書で用いられる塗布表面は、皮膚、髪、爪等、および他の適切な身体部を含む。例えば、塗布器具は、目、頬、口等を含む顔に化粧品を塗布するために用いられ得る。
【０００７】
図１に例示されて、一般に参照符号１０で示される塗布器具は、目を強調し、美しくするために用いられ得る。単一の塗布器具で複数のパターンが形成され得る。例えば、以下により詳細に論じられるように、塗布器具は、１２において繊細な線、１４において広がった線、１６において羽根のような領域、１８において明るい色の領域、２０において暗い色の領域、２２において混合色の領域等を形成するために用いられ得る。
【０００８】
塗布器具はまた、一時的な入れ墨の形態で、または従来の顔およびボディーペイントとして塗布表面に化粧品を塗布するためにも用いられ得る。従って、塗布器具は、動物の絵、チームシンボル、会社のロゴ、および／または他の適切な形状を含む実質的に任意の形態をとり得る複数のデザインを形成するために用いられ得る。塗布器具に導入される特徴部分に応じて、デザインは、任意の数の複数の色または混合色を導入し得る。デザインは、塗布器具を用いて自由に描かれてもよく、または所望のデザインを形成するのを助けるためにステンシルもしくは他の適切な輪郭を用いて塗布され得る。
【０００９】
このように、図２に一般に参照符号２６で示されるように、塗布器具は、絵を顔に塗布するために用いられ得る。例示においては、ハート形２８が、子供の頬３０に塗布されている。所望のデザインには、異なる色および異なる線の構成を用いることが必要であり得るが、そのようなデザインを形成するために単一の塗布器具が用いられ得る。従って、単一の塗布器具は、ハート形の色がハート形の輪郭の色とは異なる場合であっても、３２においてハート形の輪郭を描き、３４においてハート形に色を付けるために用いられ得る。
【００１０】
本明細書で用いられる化粧品は、皮膚、唇、目、髪、爪等の美しさを向上させるために用いられ得る化粧インクの調製物を指す。本明細書で用いられる化粧品はまた、皮膚に塗布しても毒性がなく安全であるすべてのインク調製物および局所的な調製物を含む、医療目的で用いられる局所的な調製物を含む。化粧インクは、従来の石鹸と水を用いて容易に除去され得る水溶性のものであり得る。あるいは、本塗布器具に用いられる化粧インクは、一時的な入れ墨を形成するため等のより永続的なもの、またはより永続的なメーキャップであり得る。塗布器具で用いられる化粧品は、インク送達システム（以下に記載）の要件を満たさなければならない。従って、化粧品は、通常、粘着性の低いインクである。化粧品は、染料または顔料をベースとし得る。さらに、塗布器具で用いられる化粧品は、流体化粧品、ワックスをベースとした化粧品または固体の化粧品である。
【００１１】
本発明の１つの実施形態により構築された塗布器具は、図３において一般に参照符号４０で示される。塗布器具４０は、通常、本体４２および塗布器具先端４４を有する。本例示においては、塗布器具４０は、ユーザの手４６で保持され得るスタイラスの形状で示される。塗布器具はまた、筆記用のペンのサイズにほぼ対応するようなサイズであり得る。このような構成は、ユーザが操作および持ち運ぶのに簡単であり得る。例えば、ペンのサイズの塗布器具は、ハンドバッグまたは財布に好都合に適合し得る。あるいは、塗布器具４０は、他の任意の適切な手持ち形状を有し得る。
【００１２】
本体４２はまた、塗布器具４０の取り扱いを容易にする把持面４８を有し得る。例えば、把持面４８は、ユーザが塗布器具を用いるとき、塗布器具４０を安定して保持するのを助け得る。把持面４８は、プラスチックまたは他の適切な材料で形成され得る。
【００１３】
本体４２は、図３に一般に参照符号５２で示されるインク搬送システムを有する。インク搬送システム５２は、本体４２に含まれる化粧品を塗布器具先端４４に送達する。化粧品は、本体４２のインク貯蔵部（図３に参照符号５４で概略的に例示される）内に収容される。インク貯蔵部すなわち収容部５４は、塗布器具先端４４に収容されるインク噴出ヘッド４５（プリントヘッドとも呼ばれる）と液通している。インク噴出ヘッド４５は、インク貯蔵部５４内の化粧品と液通する複数のノズルを有する。インク貯蔵部は、化粧品が、制御回路（図３に参照符号５６で概略的に例示される）の指示によりインク噴出ヘッド４５に送達され得るように、本体４２内に配置される。制御回路５６は、インク噴出ヘッド４５と動作可能に連結され、インク噴出ヘッド４５のノズルから塗布表面への化粧品の排出を制御する。
【００１４】
本体４２は、複数のインク貯蔵部を有し得る。各貯蔵部は、異なるタイプおよび／または色の化粧品を含み得る。各貯蔵部は、インク噴出ヘッド４５に直接連結されている。例えば、図４は、３つのインク貯蔵部５４ａ、５４ｂ、５４ｃを有する塗布器具を例示する。これらの貯蔵部はすべて、塗布器具４０の先端４４と流体的に連通している。導管または化粧品チャネル５５ａ、５５ｂ、５５ｃは、対応するインク貯蔵部５４ａ、５４ｂ、５４ｃをインク噴出ヘッド４５に連結する経路を提供し得る。化粧品は、塗布器具からインク噴出ヘッド４５内の複数のノズルを介して排出され得る。
【００１５】
図４に示される実施形態では、塗布器具４０は、それぞれが異なるタイプの化粧品を有する３つのインク貯蔵部を有するのが示されている。これらの異なるタイプの化粧品は、通常、異なる色の化粧品である。従って、第１の貯蔵部は、イエロー化粧品（化粧品ａ）、第２の貯蔵部は、マゼンタ化粧品（化粧品ｂ）、および第３の貯蔵部は、シアン化粧品（化粧品ｃ）を含み得る。示されるノズルは、対応する貯蔵部と流体的に連通している。これらのノズルからの化粧品の放出を制御することによって（例えば、特定のノズルからの放出頻度を制御することによって）、ノズルから放出される化粧品は混合され、さらなる混合色を形成し得る。
【００１６】
塗布器具４０は、何度も用いられた後、使い捨てできるように構成され得る。あるいは、塗布器具４０は、インク貯蔵部自体が交換され、それによって、塗布器具の寿命が延びるように構成され得る。さらに、インク貯蔵部５４ａ、５４ｂ、５４ｃは、ユーザが新しい色または異なるタイプの化粧品を塗布器具に置き換えることが可能なように置き換えられ得る。
【００１７】
図４は、典型的なインク送達システム５２のブロック図である。簡単に上述した制御回路５６は、塗布器具からの化粧品の噴出を制御する。制御回路は、ユーザが、化粧帯の外観特徴を変化することによって化粧帯の塗布を制御し得るように、ユーザが選択可能なスイッチと動作可能に連結されている。例示されるように、制御回路５６は、マイクロコントローラ５８、発振器６０、シーケンサ６２および噴射トランジスタ６４を有し得る。特に、噴射トランジスタ６４は、インク噴出ヘッドのノズルに化粧品を塗布表面に噴射および排出させる。発振器６０は、電気パルスを噴射トランジスタに送信することによって噴射トランジスタの噴射レートを制御する。噴射レートは、インク噴出ヘッドの構造によって限定され得る。図示されるように、制御回路５６はまた、シーケンサ６２を有し得る。シーケンサ６２は、噴射されるノズルの特定の順序を制御するために用いられる。図示されないが、いくつかの実施形態は、電池、発振器および噴射トランジスタのみを備えた制御回路を有し得る。発振器は、ノズルの最適な噴射を提供するように予め設定され得る。
【００１８】
発振器６０、シーケンサ６２および噴射トランジスタ６４は、ユーザが選択可能な制御部５０ａ、５０ｂ、５０ｃと個別に連結され得る。制御部（即ち、制御スイッチ）のそれぞれは、ユーザが所望の印字効果を選択し得るように、塗布器具からの化粧品の流れを調節する。制御部は、ダイアル、トグルスイッチ、レバー、ノブ、ボタン等の形態をとり得る。個々のスイッチは、色合い５０ａ、強度５０ｂ、化粧品インク帯のサイズもしくはブラシのサイズ５０ｃ、または塗布されるメーキャップの他の任意の外観特徴を制御し得る。各スイッチは、塗布器具からの化粧品噴出パターンを変更することによって、色合い／色、強度および／または帯サイズの変化に対応する位置の範囲間で移動可能であり得る。
【００１９】
このように、ユーザは、ノズルの噴射レートを変更することによって、化粧帯の強度を制御することが可能であり得る。噴射レートは、発振器６０を介して噴射トランジスタ６４に送信されるパルスを増加させることによって増加し得る。化粧帯の強度はまた、シーケンサ６２によって指示されるようにノズルの順序を変更することによって影響され得る。例えば、化粧帯の強度は、順序からノズルをはずすか、または噴射レートを低下させることによって（図１に参照符号１８で示されるように）低下し得る。強度（図１に参照符号２０で示される）は、さらにノズルを加えるか、または噴射レートを増加させることによって増加し得る。同様に、噴射トランジスタにより噴射するように指示されるノズルの数はまた、塗布表面に塗布される化粧帯のサイズに寄与し得る。従って、繊細な線（図１における参照符号１２）は、より少ないノズルを噴射させることによって形成され、一方、幅広い線（図１における参照符号１４）は、より多くのノズルを噴射することによって形成され得る。
【００２０】
制御回路５６はまた、マイクロコントローラ５８を有し得る。マイクロコントローラ５８は、ユーザが選択可能な制御部５０ａ、５０ｂおよび５０ｃと直接連結し得る。制御部は、マイクロコントローラの複雑さに応じて、ポテンショメータおよび／または選択メニューであり得る。マイクロコントローラ５８は、ユーザの入力を受け、発振器６０、シーケンサ６２および噴射トランジスタ６４に、適切なノズルから特定のレートおよび順序で噴射させ、所望のパターンを形成するよう指示する。従って、ユーザが、所望の帯の色合い、強度およびサイズを選択すると、マイクロコントローラは、発振器、シーケンサおよび噴射トランジスタに化粧品を適切に噴出するように指示する。従って、上記のように、マイクロコントローラは、噴射レートおよび噴射順序を制御することによって、化粧品帯のサイズの変化および／または強度に影響を与える特定のノズルからの化粧品の放出を制御し得る。色合いの効果はまた、マイクロコントローラ５８によっても制御され得る。このように、異なる色の化粧品を有する複数のインク貯蔵部がある場合、特定のノズルは貯蔵部のそれぞれと連結している。噴射トランジスタに特定のノズルのみから噴射させるように指示することによって、異なる色が形成され得る。さらに、マイクロコントローラ５８およびそのソフトウェアの複雑さに応じて、マイクロコントローラ５８は、形状または他の複雑なパターンを描くために用いられ得る。
【００２１】
塗布器具４０はまた、ユーザによって操作可能なトリガまたはオン／オフスイッチ５１を有し、塗布表面への化粧品の塗布を制御し得る。このようなトリガスイッチは、電力を電源６６に提供する。電源６６は、電力をマイクロコントローラ５８および噴射トランジスタ６４に提供し得る。電源は、塗布器具が内蔵式ユニットとなるように搭載電池であり得る。あるいは、電池パックまたは遠隔電源は、塗布器具に取り付けられ、電力をマイクロコントローラに提供し得る。
【００２２】
動作中、ユーザは、適切な制御部（５０ａ、５０ｂ、５０ｃ）を設定し、所望の化粧品外観特徴を規定する。マイクロコントローラは、塗布器具からの化粧品の適切な放出を指示する。化粧品６８の小滴は、インク噴出ヘッドまたはプリントヘッド４５から塗布表面６７に排出される。
【００２３】
上記のように、塗布器具の先端は、複数のノズルまたはオリフィスを備えたインク噴出ヘッド４５を有する。化粧品小滴は、これらの小さなノズルを通して塗布表面すなわち皮膚に向かって噴出される。図５から図７は、化粧品塗布器具４０のインク噴出ヘッド４５の３つの異なるノズルパターンを例示する。３つのパターンのみが例示されているが、ノズルの任意の適切な配置が用いられ得る。
【００２４】
例えば、図５に示されるように、ノズル７０は、プリントヘッド４５の底部において単一の列構成であってもよい。このような配置には、単一の色が用いられ得る。ノズルの噴出順序およびタイミングを変更することによって、化粧品インク帯の強度および／またはブラシのサイズが変化し得る。
【００２５】
他の実施形態では、図６に示されるように、複数のノズル７０が列または行７４に配置され得る。各列７４ａ、７４ｂ、７４ｃは、各列（および列の各ノズル）が単一の色を噴出するように、異なるインク貯蔵部に接続され得る。このように、各色に対して別個のノズルが存在し得る。従って、異なる色は、どのノズルから噴出されているかに応じて、プリントされ得る。隣接したノズルから噴出することによって、色を混合し、さらなる色または色合いを形成することが可能であり得る。
【００２６】
図７は、第３の構成を示す。この構成では、ノズル７０は、同心円の円形またはシャワーヘッド構成７２で配置されている。図７に示されるこのような構成では、プリントヘッド４５のノズルの数が増加し、化粧品を塗布する際にユーザに対してより正確な制御が提供され得る。
【００２７】
ユーザはまた、塗布表面に対する塗布器具の位置を制御することによって、塗布器具から排出される化粧品の外観を制御し得る。塗布器具を表面により近づけて保持するにつれて、化粧品の小滴はより大きく見える。塗布器具が塗布表面からより離れて保持されると、化粧品は拡散して塗布され、それによってより繊細な線が形成され得る。
【００２８】
図８から図１０は、３つの異なる塗布器具先端の構成を示す。これらは、それぞれ、化粧品を塗布している間に塗布器具４０が保持される塗布表面７６からの距離をユーザが制御するのを助けるように構成されている。図８は、ブラシ延長部８０が、塗布器具４０の塗布器具先端４４から延びているのが示されている。ブラシは、プリントヘッド４５のノズルを塗布表面７６から間隔を置いて配置する。ユーザは、ユーザの皮膚に対するブラシによって感じられる圧力によって、顔からのノズルの距離を制御することが可能であり得る。このような触覚による経験によって、ユーザは、化粧品を塗布している間、塗布器具を安定して保持することができる。
【００２９】
図示されるように、ブラシ延長部８０は、プリントヘッド４５がブラシ延長部８０間で挟持されるように、プリントヘッド４５の上面および下面から延びる。あるいは、ブラシ延長部８０は、塗布器具先端４４の周囲全体から延びるか、または塗布器具先端４４の１つの側からのみ延び得る。ブラシ延長部８０の毛の長さは、塗布器具が塗布表面から保持されるべき最適な距離に依存し得る。ブラシ延長部８０の毛はまた、塗布器具４４から噴出される化粧品をにじませるまたはきめを出すために用いられ、それによって、異なる化粧品塗布効果が得られる。
【００３０】
図９において、塗布器具先端４４は、くぼんだインク噴出ヘッド４５を特徴とする。塗布器具４０の外部先端８２は、インク噴出ヘッド４５を越えて延び、インク噴出ヘッドに収容されるノズルが塗布表面７６と接触するのを防止する。このような構成によって、細菌、残骸、メーキャップ等を含む汚染物によるプリントヘッド４５の汚染が防止される。先端は、化粧品が任意の数の塗布表面に連続して塗布され得るように、プリントヘッド４５を塗布表面７６から最適な距離に配置し得る静止した位置で示される。あるいは、調整器は、ユーザが塗布器具先端４４を外部先端８２内の任意の数の位置に配置することができるように用いられ得る。このような調整器によって、ユーザは、塗布表面７６からのプリントヘッド４５の距離を変更することができる。
【００３１】
図１０は他の代替実施形態を示す。この実施形態では、塗布器具４０は、塗布表面７６上を照射するガイドライト８４を有する。ガイドライト８４は、典型的な光ビームを塗布表面７６に向かって投射し、塗布器具からその距離で塗布される化粧品の外観を示す。塗布表面に投射する光ビームのサイズは、塗布器具が塗布表面から特定の距離で保持される場合に形成される化粧品インク帯のサイズに対応し得る。このように、ユーザは、光によって例示されるように塗布器具を適切な距離に調整することによって化粧帯のサイズを制御し得る。上記のように、皮膚または塗布表面にノズルを直接接触させないユーザの能力によって、塗布器具の先端の汚染の可能性が避けられる。
【００３２】
本発明を、特に、上記の好ましい実施形態を参照しながら示し記載したが、当業者であれば、併記の特許請求の範囲に定義される本発明の趣旨および範囲から逸脱せずに多くの変形がなされ得ることが理解されるであろう。本発明の記載は、ここに記載される新規であり、かつ自明でない要素の組み合わせをすべて含むものとして理解されなければならず、特許請求の範囲は、新規でありかつ自明でないこれらの要素の任意の組み合わせに対して、本出願または後の出願において提示され得る。上記の実施形態は例示的なものであり、本出願または後の出願において請求され得る可能なすべての組み合わせに対してはいずれの特徴も要素も不可欠なものではない。特許請求の範囲において「１つの」もしくは「第１の」要素またはその等化物と記載されている場合、このような請求の範囲は、このような要素を１つ以上の組合わせを含み、２つ以上のこのような要素を必要もせず排除もしないことを理解されたい。
【００３３】
本発明は以下に要約される。
【００３４】
１．  １つまたはそれ以上の化粧品を塗布するために用いられる塗布器具（４０）において、
化粧品を含むように構成された第１の貯蔵部（５４ａ）を有する本体（４２）と、
前記化粧品と液通する複数のノズル（７０）を有する噴出ヘッド（４５）と、
前記噴出ヘッド（４５）と動作可能に連結され、前記複数のノズル（７０）から塗布表面（６７）への化粧品の噴出を制御する制御回路（５６）と、
を備えたことを特徴とする塗布器具（４０）。
【００３５】
２．  前記複数のノズル（７０）が化粧品を噴出する頻度および順序の少なくとも１つを変更することによって、化粧品の噴出を制御するように構成されたユーザが選択可能な強度制御（５０ｂ）をさらに備えたことを特徴とする第１項に記載の塗布器具（４０）。
【００３６】
３．  前記複数のノズル（７０）のいずれが化粧品を噴出するかを変更することによって化粧品の噴出を制御するように構成されたユーザが選択可能なブラシサイズ制御部（５０ｃ）をさらに備えたことを特徴とする第１項に記載の塗布器具（４０）。
【００３７】
４．  ユーザに化粧品を塗布するための塗布器具（４０）において、
それぞれが異なる色の化粧品を含むように構成された第１の貯蔵部（５４ａ）および第２の貯蔵部（５４ｂ）を有する本体（４２）と、
前記本体（４２）と連結され、前記第１の貯蔵部（５４ａ）および前記第２の貯蔵部（５４ｂ）からの化粧品の噴出を独立して制御するように構成された送達システム（５４）と、
複数のノズル（７０）を有する前記本体（４２）と連結された噴出ヘッド（４５）であって、第１サブセット（７４ａ）におけるノズル（７０）が前記第１の貯蔵部（５４ａ）と流体的に連通し、第２のサブセット（７４ｂ）におけるノズル（７０）が前記第２の貯蔵部（５４ｂ）と流体的に連通している噴出ヘッド（４５）と、
を備えたことを特徴とする塗布器具（４０）。
【００３８】
５．  前記第１のサブセット（７４ａ）のノズルおよび前記第２のサブセット（７４ｂ）のノズルからの化粧品の噴出を独立して制御し、所望の色を生成するように構成されたユーザが選択可能な色合い制御部（５０ａ）をさらに備えたことを特徴とする第４項に記載の塗布器具。
【００３９】
６．  前記本体（４２）は、ブラシ延長部（８０）を有する塗布器具先端（４４）を備えることを特徴とする第４項に記載の塗布器具（４０）。
【００４０】
７．  前記本体（４２）は、前記噴出ヘッド（４５）が塗布表面（７６）から離れて維持されるように、前記噴出ヘッド（４５）を越えて延びるように構成された外部先端（８２）を有することを特徴とする第４項に記載の塗布器具（４０）。
【００４１】
８．  前記本体（４２）は、前記塗布器具（４０）が塗布表面（７６）から距離を置いて保持されるとき、前記塗布器具（４０）を介して塗布される化粧品の高さを示す光を投射するように構成されたガイドライト（８４）を有する塗布器具先端（４４）を備えることを特徴とする第４項に記載の塗布器具（４０）。
【００４２】
９．  塗布表面（６７）に化粧品を塗布するように構成された手持ち塗布器具（４０）において、
第１の貯蔵部（５４ａ）および第２の貯蔵部（５４ｂ）を有する、ユーザによって把持されるように構成された本体（４２）と、
前記第１の貯蔵部（５４ａ）と液通する第１のセットのノズル（７４ａ）および前記第２の貯蔵部（５４ｂ）と液通する第２のセットのノズル（７４ｂ）を有する噴出ヘッド（４５）と、
前記第１のセットのノズル（７４ａ）および前記第２のセットのノズル（７４ｂ）から独立して噴射させるように構成された噴射トランジスタ（６４）を有する送達システム（５４）と、
ユーザに前記噴射トランジスタ（６４）の噴射頻度および順序を調整させ、前記第１のセットのノズル（７４ａ）および前記第２のセットのノズル（７４ｂ）からの化粧品の排出を調整するように構成されたユーザが選択可能な複数の制御部（５０）と、
を備えたことを特徴とする手持ち塗布器具（４０）。
【００４３】
１０．  化粧品を塗布する方法において、化粧品を含むように構成されたインク貯蔵部（５４）、前記化粧品と液通する複数のノズル（７０）を有する噴出ヘッド（４５）、および前記噴出ヘッド（４５）と動作可能に連結され、前記複数のノズル（７０）からの化粧品の排出を制御する制御回路（５６）を有する化粧品塗布器具（４０）を提供すること、前記制御回路（５６）と動作可能に連結された、ユーザが選択可能な第１の制御部（５０）を介して前記複数のノズル（７４ａ）のサブセットを選択すること、前記ノズル（７４ａ）のサブセットから噴射させる頻度を選択すること、前記ノズル（７４ａ）のサブセットから噴射させる順序を選択すること、化粧品がユーザの身体に噴出されるように前記選択された頻度および順序で前記ノズル（７４ａ）のサブセットを独立して制御し、噴射させることを備えることを特徴とする方法。
【図面の簡単な説明】
【図１】本発明の１つの実施形態に従って構築された化粧品塗布器具を用いて塗布され得る様々なメーキャップパターンを示す目を簡単に図示したものである。
【図２】本発明の１つの実施形態に従って構築された化粧品塗布器具を用いて塗布され得る顔ペインティングを示す図である。
【図３】本発明の１つの実施形態に従って構築された化粧品塗布器具を示す図である。
【図４】図３の化粧品塗布器具の制御システムを示すブロック図である。
【図５】図３に示される化粧品塗布器具のインク噴出ヘッド用のノズルの例示的な配置を示す拡大底面図である。
【図６】第１の代替ノズルパターンを用いるインク噴出ヘッドの拡大底面図である。
【図７】第２の代替ノズルパターンを用いるインク噴出ヘッドの拡大底面図である。
【図８】ブラシ延長部が取り付けられた塗布器具先端の拡大側面図である。
【図９】後退したインク噴出ヘッドを有する塗布器具先端の拡大側面図である。
【図１０】塗布器具とユーザの皮膚との間の距離の制御に関してユーザに指導するために用いられるガイドライトを有する他の塗布器具先端の拡大側面図である。
【符号の説明】
４０  塗布器具
４２  本体
４４  塗布器具先端
４５  噴出ヘッド
５０  第１の制御部
５０ｂ  強度制御
５０ｃ  ブラシサイズ制御部
５４  送達システム
５４ａ  第１の貯蔵部
５４ｂ  第２の貯蔵部
５６  制御回路
６７  塗布表面
７０  ノズル
７４ａ  第１サブセット
７４ｂ  第２サブセット
８０  ブラシ延長部
８２  外部先端
８４  ガイドライト
【図１】
0003847695.tif 000002
【図２】
0003847695.tif 000003
【図３】
0003847695.tif 000004
【図４】
0003847695.tif 000005
【図５】
0003847695.tif 000006
【図６】
0003847695.tif 000007
【図７】
0003847695.tif 000008
【図８】
0003847695.tif 000009
【図９】
0003847695.tif 000010
【図１０】
0003847695.tif 000011